【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
試料中の分析種の存在または非存在を検出する方法であって、
長さおよび幅を有し、長さが幅よりも実質的に長い流路に試料を導入すること；
流路に試料を導入した後、流路の長さの少なくとも一部に沿って電気的特性値を測定すること；
流路に試料を導入する前の流路の長さの少なくとも一部に沿った電気的特性に関連する電気的特性基準値にアクセスすること；
電気的特性測定値と電気的特性基準値とを比較すること；ならびに
電気的特性測定値と電気的特性基準値との比較に基づいて、分析種が流路内に存在しているか否かを判定すること
を含む方法。
【請求項２】
流路に試料を導入する前に、流路の長さの少なくとも一部に沿って流路の１つ以上の電気的特性を測定すること；および
前記測定工程において測定された流路の１つ以上の電気的特性に基づいて電気的特性基準値を決定することをさらに含む、請求項１に記載の方法。
【請求項３】
流路の長さの少なくとも一部に沿って電気的特性値を測定する前に、流路にセンサー化合物を導入することをさらに含む、請求項１に記載の方法。
【請求項４】
流路に試料を導入してから電気的特性値を測定するまでの調整時間が経過する間、待機することをさらに含む、請求項１に記載の方法。
【請求項５】
流路の内面の少なくとも一部がセンサー化合物を含む、請求項１に記載の方法。
【請求項６】
電気的特性測定値の検出において、流路の長さの両端に電位差を印加することをさらに含む、請求項１に記載の方法。
【請求項７】
試料中に分析種が存在するか否かの指標を画像表示装置に表示させることをさらに含む、請求項１に記載の方法。
【請求項８】
電気的特性測定値が、流路の長さの少なくとも一部に沿って伝わった電流の値、または流路の長さの少なくとも一部に沿った電気伝導率に相当する、請求項１に記載の方法。
【請求項９】
流路が１０ｎｍ〜１０ｃｍの長さを有するように構成されている、請求項１に記載の方法。
【請求項１０】
流路が１ｎｍ〜５０μｍの幅を有するように構成されている、請求項１に記載の方法。
【請求項１１】
流路が１ｎｍ〜１μｍの深さを有するように構成されている、請求項１に記載の方法。
【請求項１２】
第１の時間にわたって、流路における１つ以上の電気的特性値からなる第１のセットを監視し、第２の時間にわたって、流路における１つ以上の電気的特性値からなる第２のセットを監視すること；
第１の時間の流路における前記１つ以上の値が平衡に達した後、第１のセットの値から電気的特性基準値を選択すること；および
第２の時間の流路における前記１つ以上の値が平衡に達した後、第２のセットの値から電気的特性測定値を選択すること
をさらに含む、請求項１に記載の方法。
【請求項１３】
測定された電気的特性値に基づいて、試料中の分析種の濃度を決定することをさらに含む、請求項１に記載の方法。
【請求項１４】
流路に脱凝集剤を導入することによって流路を再使用可能にすることをさらに含み、
該脱凝集剤が、分析種とセンサー化合物との間の相互作用によって流路内に形成された凝集物を分解させる、請求項１に記載の方法。
【請求項１５】
流路の内面にセンサー化合物を結合することができるように流路の内面を修飾することをさらに含む、請求項１に記載の方法。
【請求項１６】
試料中の分析種の存在または非存在を検出する方法であって、
長さおよび幅を有し、長さが幅よりも実質的に長い流路にセンサー化合物を導入すること；
流路の長さの少なくとも一部に沿って流路の１つ以上の電気的特性を測定すること；
前記測定工程において測定された流路の１つ以上の電気的特性に基づいて流路の電気的特性基準値を決定すること；
流路に試料を導入すること；
試料およびセンサー化合物を流路に導入した後、流路の長さの少なくとも一部に沿って、流路の１つ以上の電気的特性を測定すること；
センサー化合物および試料を流路に導入した後に測定された１つ以上の電気的特性に基づいて、電気的特性値を決定すること；
流路の電気的特性基準値と電気的特性値との差を決定すること；ならびに
流路の電気的特性基準値と電気的特性値との差に基づいて、分析種が流路内に存在しているか否かを判定すること
を含む方法。
【請求項１７】
試料中の分析種の存在または非存在を検出する方法であって、
長さおよび幅を有し、長さが幅よりも実質的に長い流路に試料を導入すること；
流路の長さの少なくとも一部に沿って流路の１つ以上の電気的特性を測定すること；
前記測定工程において測定された流路の１つ以上の電気的特性に基づいて流路の電気的特性基準値を決定すること；
流路にセンサー化合物を導入すること；
試料およびセンサー化合物を流路に導入した後、流路の長さの少なくとも一部に沿って、流路の１つ以上の電気的特性を測定すること；
センサー化合物および試料を流路に導入した後に測定された１つ以上の電気的特性に基づいて、電気的特性値を決定すること；
流路の電気的特性基準値と電気的特性値との差を決定すること；ならびに
流路の電気的特性基準値と電気的特性値との差に基づいて、分析種が流路内に存在しているか否かを判定すること
を含む方法。
【請求項１８】
試料中の分析種の存在または非存在を検出する方法であって、
長さおよび幅を有し、長さが幅よりも実質的に長い流路の内面の少なくとも一部をセンサー化合物でコーティングすること；
センサー化合物でコーティングした後、流路の長さの少なくとも一部に沿って、流路の１つ以上の電気的特性を測定すること；
前記測定工程において測定された流路の１つ以上の電気的特性に基づいて流路の電気的特性基準値を決定すること；ならびに
流路に導入した試料中に分析種が存在するか否かの決定に使用するために流路の電気的特性基準値を保存すること
を含む方法。
【請求項１９】
試料中の分析種の存在または非存在を検出する方法であって、
長さおよび幅を有し、長さが幅よりも実質的に長い流路に試料およびセンサー化合物を導入すること；
流路の長さに沿った第１の方向に、流路の長さの両端に第１の電位差を印加すること；
第１の電位差を印加しつつ、流路の長さの少なくとも一部に沿って第１の電気的特性値を測定すること；
第１の方向とは逆の、流路の長さに沿った第２の方向に、流路の長さの両端に第２の電位差を印加すること；
第２の電位差を印加しつつ、流路の長さの少なくとも一部に沿って第２の電気的特性値を測定すること；
第１の電気的特性値と第２の電気的特性値とを比較すること；ならびに
第１の電気的特性値と第２の電気的特性値との比較に基づいて、分析種が流路内に存在しているか否かを判定すること
を含む方法。
【請求項２０】
第１の電気的特性値と第２の電気的特性値とが実質的に等しくない場合に分析種の存在が検出される、請求項１９に記載の方法。
【請求項２１】
第１の電気的特性値と第２の電気的特性値とが実質的に等しい場合に分析種の非存在が検出される、請求項１９に記載の方法。
【請求項２２】
試料とセンサー化合物とを流路に同時に導入する、請求項１９に記載の方法。
【請求項２３】
試料とセンサー化合物とを流路に順次導入する、請求項１９に記載の方法。
【請求項２４】
流路の内面がセンサー化合物でコーティングされる、請求項１９に記載の方法。
【請求項２５】
第１の電気的特性値および第２の電気的特性値が、流路の長さの少なくとも一部に沿って伝わった電流の値、または流路の長さの少なくとも一部に沿った電気伝導率の値に相当する、請求項１９に記載の方法。
【請求項２６】
流路が１０ｎｍ〜１０ｃｍの長さを有するように構成されている、請求項１９に記載の方法。
【請求項２７】
流路が１ｎｍ〜５０μｍの幅を有するように構成されている、請求項１９に記載の方法。
【請求項２８】
流路が１ｎｍ〜１μｍの深さを有するように構成されている、請求項１９に記載の方法。
【請求項２９】
前記分析種が、核酸、水銀イオンおよび銀イオンからなる群から選択される、請求項１〜２８のいずれか一項に記載の方法。
【請求項３０】
前記センサー化合物が、核酸プローブ、ＴＰＥＴ２およびＴＰＥＡ２からなる群から選択される、請求項１〜２８のいずれか一項に記載の方法。
【請求項３１】
前記分析種が核酸を含み、前記センサー化合物が核酸プローブを含む、請求項１〜２８のいずれか一項に記載の方法。
【請求項３２】
前記分析種が水銀イオンを含み、前記センサー化合物がＴＰＥＴ２を含む、請求項１〜２８のいずれか一項に記載の方法。
【請求項３３】
前記分析種が銀イオンを含み、前記センサー化合物がＴＰＥＡ２を含む、請求項１〜２８のいずれか一項に記載の方法。
【請求項３４】
検出システムであって、
長さおよび幅を有し、長さが幅よりも実質的に長い流路を少なくとも１つ有する基板；
前記少なくとも１つの流路の第１の端部と流体連通している第１のポート；
前記少なくとも１つの流路の第２の端部と流体連通している第２のポート；
前記少なくとも１つの流路の第１の端部に電気接続されている第１の電極；
前記少なくとも１つの流路の第２の端部に電気接続されている第２の電極；ならびに
第１の電極および第２の電極と電気通信する分析種検出回路
を含み；
第１の電極および第２の電極が、前記少なくとも１つの流路の第１の端部および第２の端部それぞれに電気接続されて流路回路を形成すること；
流路回路が電気的特性を有し、前記少なくとも１つの流路内に電気伝導性流体が存在する場合に該電気伝導性流体によって流路回路の電気的特性が変化するように構成されていること；
分析種検出回路が、第１の電極および第２の電極と電気通信する測定回路を含むこと；
測定回路が測定回路出力を有すること；
測定回路出力が、流路回路の１つ以上の電気的特性を示す１つ以上の値を含むこと；
分析種検出回路が、測定回路出力と電気通信するメモリを含み、該メモリが、流路回路の１つ以上の電気的特性を示す１つ以上の値を保存するように構成されており、該１つ以上の値が流路回路の電気的特性の第１の値と流路回路の電気的特性の第２の値とを少なくとも含むこと；
分析種検出回路が、メモリと電気通信する比較回路をさらに含み、前記少なくとも第１の値および第２の値を入力として有すること；
比較回路が、前記少なくとも第１の値および／または第２の値に少なくとも一部基づく比較回路出力を提供するように構成されていること；ならびに
比較回路出力が、前記少なくとも１つの流路内に分析種が存在するか否かを示すこと
を特徴とする検出システム。
【請求項３５】
前記第１の値が、前記少なくとも１つの流路内に流体が存在しない状態にある流路回路の１つ以上の電気的特性を示し、前記第２の値が、前記少なくとも１つの流路内に流体が存在する状態にある流路回路の１つ以上の電気的特性を示す、請求項３４に記載の検出システム。
【請求項３６】
比較回路が、流路回路の１つ以上の電気的特性を示す１つ以上の値を入力として複数個有すること、
流路回路の１つ以上の電気的特性を示す１つ以上の値の複数個が、流路回路の１つ以上の経時的な電気的特性を示すこと、および
比較回路出力が、流路回路の１つ以上の電気的特性を示す１つ以上の値の複数個に少なくとも一部基づくことを特徴とする、請求項３５に記載の検出システム。
【請求項３７】
前記少なくとも１つの流路の長さに沿った第１の方向において、第１の電極と第２の電極の間に第１の電位差を印加した場合、前記第１の値が流路回路の１つ以上の電気的特性を示し、
第１の方向とは逆の、前記少なくとも１つの流路の長さに沿った第２の方向において、第１の電極と第２の電極の間に第２の電位差を印加した場合、前記第２の値が流路回路の１つ以上の電気的特性を示す、請求項３４に記載の検出システム。
【請求項３８】
前記第１の値が前記第２の値とは実質的に異なる場合、比較回路出力が、前記少なくとも１つの流路内に分析種が存在することを示す、請求項３７に記載の検出システム。
【請求項３９】
比較回路出力が表示装置に連結されており、表示装置が、前記少なくとも１つの流路内に分析種が存在するか否かを示す情報を表示するように構成されている、請求項３４に記載の検出システム。
【請求項４０】
比較回路出力と表示装置との間に接続されているコンピュータをさらに含む、請求項３９に記載の検出システム。
【請求項４１】
分析種検出回路が、電流計、電圧計および抵抗計の１つ以上を含む、請求項３４に記載の検出システム。
【請求項４２】
分析種検出回路がプロセッサを含む、請求項３４に記載の検出システム。
【請求項４３】
基板が誘電材料で形成されている、請求項３４に記載の検出システム。
【請求項４４】
前記１つ以上の電気的特性が、第１の電極と第２の電極の間を前記少なくとも１つの流路の長さに沿って伝わった電流、または第１の電極と第２の電極の間の前記少なくとも１つの流路の長さに沿った電気伝導率を含む、請求項３４に記載の検出システム。
【請求項４５】
第１の電極および第２の電極が、基板と実質的に平行な軸に沿った１つ以上の電気的特性を検出するように構成されている、請求項３４に記載の検出システム。
【請求項４６】
分析種検出回路が平衡検出回路を含む、請求項３４に記載の検出システム。
【請求項４７】
前記少なくとも１つの流路が少なくとも１つの内面を含み、該少なくとも１つの内面の少なくとも一部が、該内面へのセンサー化合物の結合を促進する材料でコーティングされている、請求項３４に記載の検出システム。
【請求項４８】
前記材料がシラン化合物である、請求項４７に記載の検出システム。
【請求項４９】
前記少なくとも１つの流路が、第１の流路と第２の流路とを含み、
第１の流路が、第１の流路の第１の端部と流体連通している第１の流路ポートと、第１の流路の第２の端部と流体連通している第２の流路ポートとを含み、
第２の流路が第３の流路ポートを含み、
第１の流路ポートが、第２の流路の第１の端部と流体連通しており、第３の流路ポートが、第２の流路の第２の端部と流体連通している、請求項３４に記載の検出システム。
【請求項５０】
第１の流路の第１の端部と流体連通している第４の流路ポート；および
第２の流路の第１の端部と流体連通している第５の流路ポートをさらに含み、
第４の流路ポートと第５の流路ポートとは互いに流体連通していない、請求項４９に記載の検出システム。
【請求項５１】
第１の電極および第２の電極を使用して電位差を印加するための電圧源をさらに含む、請求項３４に記載の検出システム。
【請求項５２】
前記少なくとも１つの流路が１０ｎｍ〜１０ｃｍの長さを有するように構成されている、請求項３４に記載の検出システム。
【請求項５３】
前記少なくとも１つの流路が１ｎｍ〜５０μｍの幅を有するように構成されている、請求項３４に記載の検出システム。
【請求項５４】
前記少なくとも１つの流路が１ｎｍ〜１μｍの深さを有するように構成されている、請求項３４に記載の検出システム。
【請求項５５】
比較回路出力を受け取る画像表示装置をさらに含む、請求項３４に記載の検出システム。
【請求項５６】
比較回路出力が、前記少なくとも１つの流路内の分析種の濃度をさらに示す、請求項３４に記載の検出システム。
【請求項５７】
検出システムであって、
長さおよび幅を有し、長さが幅よりも実質的に長い流路を少なくとも１つ有する基板；
前記少なくとも１つの流路の第１の端部と流体連通している第１のポート；
前記少なくとも１つの流路の第２の端部と流体連通している第２のポート；
前記少なくとも１つの流路の第１の端部に電気接続されている第１の電極；
前記少なくとも１つの流路の第２の端部に電気接続されている第２の電極；ならびに
第１の電極および第２の電極と電気通信する分析種検出回路
を含み；
第１の電極および第２の電極が、前記少なくとも１つの流路内に電気伝導性流体が存在することによって第１の電極と第２の電極の間の電気回路が完成するように、前記少なくとも１つの流路の第１の端部および第２の端部それぞれに電気接続されていること；
分析種検出回路が、第１の電極と第２の電極の間の１つ以上の電気的特性を測定するように構成されていること；
分析種検出回路がメモリを含むこと；
メモリが、測定された電気的特性値を保存するように構成されていること；ならびに
分析種検出回路が比較回路をさらに含み、比較回路が、測定された電気的特性値に基づいて、前記少なくとも１つの流路内の分析種の存在を検出するように構成されていること
を特徴とする検出システム。
【請求項５８】
検出システムであって、
流体の流れを収容するための手段；
流体の流れを収容するための手段の第１の末端において流体を導入するための手段；
流体の流れを収容するための手段の第２の末端において流体を排出するための手段；
流体の流れを収容するための手段の第１の末端と第２の末端の間で流体の電気的特性の第１の値および第２の値を検出するための手段；ならびに
電気的特性の第１の値と第２の値の差に基づいて、流体中に分析種が存在するか否かを判定するための手段
を含む検出システム。
【請求項５９】
前記分析種が、核酸、水銀イオンおよび銀イオンからなる群から選択される、請求項３４〜５８のいずれか一項に記載の検出システム。
【請求項６０】
前記センサー化合物が、核酸プローブ、ＴＰＥＴ２およびＴＰＥＡ２からなる群から選択される、請求項３４〜５８のいずれか一項に記載の検出システム。
【請求項６１】
前記分析種が核酸を含み、前記センサー化合物が核酸プローブを含む、請求項３４〜５８のいずれか一項に記載の検出システム。
【請求項６２】
前記分析種が水銀イオンを含み、前記センサー化合物がＴＰＥＴ２を含む、請求項３４〜５８のいずれか一項に記載の検出システム。
【請求項６３】
前記分析種が銀イオンを含み、前記センサー化合物がＴＰＥＡ２を含む、請求項３４〜５８のいずれか一項に記載の検出システム。